(57)【特許請求の範囲】
【請求項１】
外郭を構成するボデーと、前記ボデー上部に載置した注口と、前記ボデー内部に液体を収納する有底筒状の容器と、前記容器内の液体を加熱する発熱体と、前記容器の上面開口部を覆う蓋体を備え、前記蓋体には注口のフック部と係合するロックレバーと前記フック部との係合を解除するロックつまみと、前記ロックレバーを付勢するロックばねと、前記ロックレバーには注口のフック部との係合が解除したときの位置を保持するストッパーとを設け、前記ストッパーと係合するストッパー保持部を設け、前記ロックレバーとストッパー保持部の係合を解除する解除レバーを設けた電気湯沸かし器。
【請求項２】
解除レバーはロックレバー上面が注口のフック下面より下方に移動したときにロックレバーとスットッパー保持部の係合を解除する請求項１記載の電気湯沸かし器。
【請求項３】
ロックレバーの摺動面であるロックレバー支持部が注口フック部との係合解除位置に向かって高くなっている請求項１記載の電気湯沸かし器。
【請求項４】
解除レバーはストッパー解除側と異なる方向にレバーばねで付勢された請求項１記載の電気湯沸かし器。
【請求項５】
解除レバーは蓋体の閉時に注口または容器または注口あるいは容器に係合された部品に押圧されることで、前記解除レバーが移動しロックレバーとストッパー保持部の係合を解除する請求項１記載の電気湯沸かし器。
【請求項６】
解除レバーは蓋体の閉時に注口または容器または注口あるいは容器に係合された部品に押圧し、ロックレバーが注口フック部に係合していない時は、解除レバーの自然状態で蓋体を保持することができる請求項１記載の電気湯沸かし器。
【請求項７】
外郭を構成するボデーと、前記ボデー上部に載置した注口と、前記ボデー内部に液体を収納する有底筒状の容器と、前記容器内の液体を加熱する発熱体と、前記容器の上面開口部を覆う蓋体を備え、前記蓋体には注口のフック部と係合するロックレバーと前記フック部との係合を解除するロックつまみと、前記ロックレバーを付勢するロックばねと、前記ロックレバーには注口フック部との係合解除したときの位置を保持するストッパーとを設け、前記ストッパーを係合するためにロックレバー以外で構成されたストッパー保持部を設け、前記注口には前記ロックレバーとストッパー保持部とを係合解除する解除部を設けた電気湯沸かし器。
【請求項８】
ロックレバーが注口フック部に係合されていない時は、注口あるいは蓋体に構成された開閉補助レバーによって対面する部材を押圧し、前記蓋体が一定量開く構造を持つ請求項７記載の電気湯沸かし器。
【請求項９】
ロックレバーが注口フック部に係合されていない時は、注口あるいは蓋体に構成された開閉補助レバーによって対面する部材を押圧し、前記蓋体が一定量開く構造を持ち、さらに開閉補助レバーは補助レバーばねによって蓋体開き方向に付勢された請求項７記載の電気湯沸かし器。
【発明の詳細な説明】
【０００１】
【発明の属する技術分野】
本発明は、容器内に収容した液体を加熱・保温し、本体外部へ導出する電気湯沸かし器に関するものである。
【０００２】
【従来の技術】
従来この種の電気湯沸かし器は、図８に示すようなものであった。以下に従来の電気湯沸かし器の構造を詳述する。図８において、１０１は外郭を構成するボデーで、液体１０２を収容する容器１０３を内包している。１０４はボデー１０１の上部に載置した注口で、中央開口部に容器１０３を載置している。１０５は液体１０２を加熱・保温する発熱体で、容器１０３の底面部に固着している。１０６は容器１０３を加熱の上方開口部を覆う蓋体２００、蓋体２００は注口１０４に設けたフック部１０４ａに対し前方にロックレバー２２１により着脱自在に係合され、さらに注口１０４の後方に設けたヒンジ部１０４ａにより回動自在にされるものである。また蓋体２００にはロックレバー２２１と注口１０４との係合を解除するロックつまみ２２４と、ロックレバー２２１を通常は注口１０４との係合状態に付勢するロックばね２２５が載置されおり、さらにロックつまみ２２４の操作に要する操作用開口部２２３を設けていた。
【０００３】
上記構成の動作を説明する。容器に液体を入れる場合などで蓋体２００を開ける場合は、外部操作により蓋体２００に載置されロックつまみ２２４をロックつまみ２２４表面に対して押すかまたは操作用開口部２２３がわから引張ることにより回動させ注口１０４と係合しているロックレバー２２１を解除し、蓋体２００を注口１０４の後方に設けたヒンジ部１０４ａを中心に回動させていた。
【０００４】
【発明が解決しようとする課題】
しかしながら、上記従来の構成において通常、蓋を閉める時においてロックレバーが注口フック部に係合するまでは、ロックレバーは注口に設けたフック部に常に付勢されていた。このためロックレバーがロックバネの最大圧縮時にフック部へ付勢する力が最大となり、注口フック先端のわずかな平面部で保持した状態となる可能性が高く、外見ではロックレバーが注口フック部に係合したように見える状態である半ロック状態となり、転倒時に湯の流出等が生じるという課題があった。
【０００５】
本発明は上記従来の問題点を解決するもので、ロックレバーが確実に注口フック部と係合でき、半ロック状態をなくすることができる電気湯沸かし器を提供することを目的とする。
【０００６】
【課題を解決するための手段】
上記課題を解決するために本発明は、外郭を構成するボデーと、前記ボデー上部に載置した注口と、前記ボデー内部に液体を収納する有底筒状の容器と、前記容器内の液体を加熱する発熱体と、前記容器の上面開口部を覆う蓋体を備え、前記蓋体は注口に対し前方のロックレバーにより着脱自在に係合され、前記蓋体には注口のフック部と係合するロックレバーと前記フック部との係合を解除するロックつまみと、前記ロックレバーを付勢するロックばねと、前記ロックレバーには係合が解除したときの位置を保持するスットパーを設け、さらにストッパーと係合するストッパー保持部を設け、前記ロックレバーとストッパー保持部の係合を解除する解除レバーを設けたものである。
【０００７】
これによりロックつまみを回動し蓋体を開くときにロックレバーはストッパー保持部に係合され、閉時には解除レバーによりロックレバーと注口フック部との係合タイミングを調整可能になるため確実に係合が行われ、転倒時において蓋が開き湯の流出が防止できる。
【０００８】
【発明の実施の形態】
本発明の請求項１に記載の発明は、外郭を構成するボデーと、前記ボデー上部に載置した注口と、前記ボデー内部に液体を収納する有底筒状の容器と、前記容器内の液体を加熱する発熱体と、前記容器の上面開口部を覆う蓋体を備え、前記蓋体は注口に対し前方のロックレバーにより着脱自在に係合され、前記蓋体には注口のフック部と係合するロックレバーと前記フック部との係合を解除するロックつまみと、前記ロックレバーを付勢するロックばねと、前記ロックレバーには係合が解除したときの位置を保持するスットパーを設け、さらにストッパーと係合するストッパー保持部を設け、前記ロックレバーとストッパー保持部の係合を解除する解除レバーを設けたものである。これによりロックつまみを回動し蓋体を開くときにロックレバーはストッパー保持部に係合され、閉時には解除レバーによりロックレバーと注口フック部との係合タイミングを調整可能になるため確実に係合が行われ、半ロック状態をなくすことで転倒時において蓋が開き湯の流出が防止する作用を有する。
【０００９】
請求項２に記載の発明は、解除レバーはロックレバー上面が注口のフック下面より下方に移動したときにロックレバーとスットッパー保持部の係合を解除する構成を設けることで確実にロックレバーと注口フック部が係合され、半ロック状態をなくすことで転倒時において蓋が開き湯の流出が防止できる作用を有する。
【００１０】
請求項３に記載の発明は、ロックレバーの摺動面であるロックレバー支持部が注口フック部との係合解除位置に向かって高くすることにより、ロックレバーが注口フック部と係合が解除された状態の時に、確実にロックレバーがストッパー保持部に係合でき、半ロック状態をなくしより確実に転倒時において蓋が開き湯の流出が防止する作用を有する。
【００１１】
請求項４に記載の発明は、解除レバーはストッパー解除側と異なる方向にレバーばねで付勢することで、解除レバーの動作力、動作位置が安定しより確実に転倒時において、半ロック状態をなくし蓋が開き湯の流出が防止する作用を有する。
【００１２】
請求項５に記載の発明は、解除レバーは蓋体の閉時に注口または容器または注口あるいは容器に係合された部品に押圧されることで、前記解除レバーが移動しロックレバーとストッパー保持部の係合を解除することで、動作位置が安定しより確実に半ロック状態をなくし転倒時において蓋が開き湯の流出が防止する作用を有する。
【００１３】
請求項６に記載の発明は、解除レバーは蓋体の閉時に注口または容器または注口あるいは容器に係合された部品に押圧し、ロックレバーが注口フック部に係合していない時は、解除レバーの自然状態で蓋体を保持することができることで、ロックレバーが注口フック部に係合していない時は注口と蓋体の間に任意の段差ができることで、蓋が確実に閉まっていないことを外観で判断でき、半ロック状態における転倒時に蓋が開き湯の流出することを防止する作用を有する。
【００１４】
請求項７に記載の発明は、外郭を構成するボデーと、前記ボデー上部に載置した注口と、前記ボデー内部に液体を収納する有底筒状の容器と、前記容器内の液体を加熱する発熱体と、前記容器の上面開口部を覆う蓋体を備え、前記蓋体は注口に対し前方のロックレバーにより着脱自在に係合され、前記蓋体には注口のフック部と係合するロックレバーと前記フック部との係合を解除するロックつまみと、前記ロックレバーを付勢するロックばねと、前記ロックレバーには注口フック部との係合解除したときの位置を保持するストッパーを設け、さらにストッパーを係合するためにロックレバー以外で構成されたストッパー保持部を設け、前記注口には前記ロックレバーとストッパー保持部とを係合解除する解除部を設けたことによりロックつまみを回動し蓋体を開くときにロックレバーはストッパー保持部に係合され、閉時には解除レバーによりロックレバーと注口フック部との係合タイミングを調整可能になるため確実に係合が行われ、半ロック状態をなくすことで転倒時において蓋が開き湯の流出が防止できる作用を有する。
【００１５】
請求項８に記載の発明は、ロックレバーが注口フック部に係合されていない時は、注口あるいは蓋体に構成された開閉補助レバーによって対面する部材を押圧し、前記蓋体が一定量開く構造を持つことで、蓋が確実に閉まっていないことを外観で判断でき、半ロック状態における転倒時に蓋が開き湯の流出することを防止できる作用を有する。
【００１６】
請求項９に記載の発明は、ロックレバーが注口フック部に係合されていない時は、注口あるいは蓋体に構成された開閉補助レバーによって対面する部材を押圧し、前記蓋体が一定量開く構造を持ち、さらに開閉補助レバーは補助レバーばねによって蓋体開き方向に付勢されたことで、蓋の開閉力が安定し、さらに蓋が確実に閉まっていないことを外観で判断でき、半ロック状態における転倒時に蓋が開き湯の流出することを防止できる作用を有する。
【００１７】
【実施例】
以下、本発明の実施例について、図１〜図７を参照しながら説明する。本実施例の特徴的構成は蓋体の開閉機構に関するものである。
【００１８】
（実施例１）
図１〜図４において、外郭を構成するボデー１１の上部に載置した注口１２と、ボデー１１内部に液体を収納する有底筒状の容器１３と、容器１３内の液体を加熱する発熱体１５と、容器１３の上面開口部を覆う蓋体２０を備えている。蓋体２０は注口１２に対し前方のロックレバー２１により着脱自在に係合され、かつ注口１２の後方に設けたヒンジ部１２ａにより回動自在にされるものであって、さらに蓋体２０には注口１２のフック部と係合するロックレバー２１とフック部との係合を解除するロックつまみ２４と、ロックレバー２１を付勢するロックばねと、ロックレバー２１下部には係合が解除したときの位置を保持するスットパーを設け、さらにスットパー下方にはストッパー２１ａと係合するロックレバー保持部２０ａを設け、ロックレバー２１とロックレバー保持部２０ａの係合を解除する解除レバー２３を設けたものである。
【００１９】
上記構成の動作を説明する。蓋体２０を開ける場合にロックつまみ２４を外部操作により回動させることでロックレバー２１と注口１２のフック部との係合を解除し、さらに任意の量を回動させることでロックレバー２１に設けたストッパー２１ａがロックレバー２１以外で構成されたロックレバー保持部２０ａに係合する。
【００２０】
蓋体２０を閉めるときには、任意の位置まで閉じたときに解除レバー２３が移動を開始し、さらに一定量蓋体２０が下方に移動したときに解除レバー２３がロックレバー２１を押し上げロックレバー保持部２０ａの係合を解除する。
【００２１】
これによりロックつまみ２４を回動し蓋体２０を開くときにロックレバー２１はロックレバー保持部２０ａに係合され、閉時には解除レバー２３によりロックレバー２１と注口１２フック部との係合タイミングを調整可能になるため確実に係合が行われ、半ロック状態をなくすことで転倒時において蓋が開き湯の流出が防止できる。
【００２２】
（実施例２）
図２〜図４において、解除レバー２３はロックレバー上面２１ｂが注口１２のフック下面より下方に移動したときにロックレバー２１とスットッパー保持部の係合を解除する構成を設ける。
【００２３】
上記構成の動作を説明する。蓋体２０を閉めるときに、任意の位置まで閉じたときに解除レバー２３が移動を開始し、さらにロックレバー上面２１ｂが注口１２のフック下面より下方に移動したときに解除レバー２３がロックレバー２１を押し上げロックレバー保持部２０ａの係合を解除する。
【００２４】
これにより、確実にロックレバー２１と注口１２フック部が係合され、半ロック状態をなくすことで転倒時において蓋が開き湯の流出が防止できる。
【００２５】
（実施例３）
図２〜図４において、ロックレバー２１の摺動面であるロックレバー支持部２６が注口１２フック部との係合解除位置に向かって高くする。
【００２６】
上記構成の動作を説明する。ロックつまみ２４を回動し蓋体２０を開くときにロックレバー２１が容器１３中心方向に移動しきながら、ロックレバー２１後部が上方に移動していくことで前部に有るストッパー２１ａ付近がロックレバー保持部２０ａのある下方に付勢される。
【００２７】
これにより、ロックレバー２１が注口１２フック部と係合が解除された状態の時に、確実にロックレバー２１がロックレバー保持部２０ａに係合でき、半ロック状態をなくしより確実に転倒時において蓋が開き湯の流出が防止できる作用を有する。
【００２８】
（実施例４）
図２〜図４において、解除レバー２３はストッパー２１ａ解除側と異なる方向にレバーばね２５で付勢されている。
【００２９】
これにより、解除レバー２３の動作力、動作位置が安定しより確実に転倒時において、半ロック状態をなくし蓋が開き湯の流出が防止できる作用を有する。
【００３０】
（実施例５）
図２〜図４において、解除レバー２３は蓋体２０の閉時に注口１２または容器１３または注口１２あるいは容器１３に係合された部品に押圧されている。
【００３１】
これにより、解除レバー２３が移動しロックレバー２１とロックレバー保持部２０ａの係合を解除することで、動作位置が安定しより確実に半ロック状態をなくし転倒時において蓋が開き湯の流出が防止できる
（実施例６）
図２〜図４において、解除レバー２３は蓋体２０の閉時に注口１２または容器１３または注口１２あるいは容器１３に係合された部品に押圧し、ロックレバー２１が注口１２フック部に係合していない時は、解除レバー２３の自然状態で蓋体２０を保持することができる。
【００３２】
これによりロックレバー２１が注口１２フック部に係合していない時は注口１２と蓋体２０の間に任意の段差ができることで、蓋が確実に閉まっていないことを外観で判断でき、半ロック状態における転倒時に蓋が開き湯の流出することを防止でき。
【００３３】
（実施例７）
図１及び図５〜図７において、外郭を構成するボデー１１上部に載置した注口１２と、ボデー１１内部に液体を収納する有底筒状の容器１３と、容器１３内の液体を加熱する発熱体１５と、容器１３の上面開口部を覆う蓋体２０を備えている。また、注口１２の後方に設けたヒンジ部１２ａにより回動自在にされるものであって、さらに蓋体２０には注口１２のフック部と係合するロックレバー２１とフック部との係合を解除するロックつまみ２４と、ロックレバー２１を付勢するロックばねと、ロックレバー２１下部には注口１２フック部との係合解除したときの位置を保持するストッパー２１ａを設け、さらにストッパー２１ａを係合するためにロックレバー２１以外で構成されたロックレバー保持部２０ａを設け、注口１２にはロックレバー２１とロックレバー保持部２０ａとを係合解除する解除部をフック部下方設けている。
【００３４】
上記構成の動作を説明する。蓋体２０を開ける場合にロックつまみ２４を外部操作により回動させることでロックレバー２１と注口１２のフック部との係合を解除し、さらに任意の量を回動させることでロックレバー２１に設けたストッパー２１ａがロックレバー２１以外で構成されたロックレバー保持部２０ａに係合する。蓋体２０を閉めるときには、任意の位置まで閉じたときに解除部がロックレバー２１を押し上げロックレバー保持部２０ａの係合を解除する。
【００３５】
これによりロックつまみ２４を回動し蓋体２０を開くときにロックレバー２１はロックレバー保持部２０ａに係合され、閉時には解除レバー２３によりロックレバー２１と注口１２フック部との係合タイミングを調整可能になるため確実に係合が行われ、しかも注口１２一部品によりロックレバー２１の動作を制御できるため安定した効果が得られ、ロックレバー２１の動作を係合と半ロック状態をなくすことで転倒時において蓋が開き湯の流出が防止できる。また解除部は注口１２で構成されていても別部材で構成されていても同様の効果が得られる。
【００３６】
（実施例８）
図５〜図７において、ロックレバー２１が注口１２フック部に係合されていない時は、注口１２あるいは蓋体２０に構成された開閉補助レバー２７によって対面する部材を押圧し、前記蓋体２０が一定量開く構造を持つ。
【００３７】
これにより蓋が確実に閉まっていないことを外観で判断でき、半ロック状態における転倒時に蓋が開き湯の流出することを防止できる作用を有する。
【００３８】
（実施例９）
図５〜図７において、ロックレバー２１が注口１２フック部に係合されていない時は、注口１２あるいは蓋体２０に構成された開閉補助レバー２７によって対面する部材を押圧し、前記蓋体２０が一定量開く構造を持ち、さらに開閉補助レバー２７は補助レバーばね２８２５によって蓋体２０開き方向に付勢されている。、
これにより蓋の開閉力が安定し、さらに蓋が確実に閉まっていないことを外観で判断でき、半ロック状態における転倒時に蓋が開き湯の流出することを防止できる作用を有する。
【００３９】
【発明の効果】
上記実施例から明らかなように、請求項１記載の発明によれば、ロックつまみを回動し蓋体を開くときにロックレバーはストッパー保持部に係合され、閉時には解除レバーによりロックレバーと注口フック部との係合タイミングを調整可能になるため確実に係合が行われ、半ロック状態をなくすことで転倒時において蓋が開き湯の流出が防止できる。
【００４０】
また、請求項２記載の発明のように、解除レバーはロックレバー上面が注口のフック下面より下方に移動したときにロックレバーとスットッパー保持部の係合を解除する構成を設けることで確実にロックレバーと注口フック部が係合され、半ロック状態をなくすことで転倒時において蓋が開き湯の流出が防止できる。
【００４１】
また、請求項３記載の発明によれば、ロックレバーの摺動面であるロックレバー支持部が注口フック部との係合解除位置に向かって高くすることで、ロックレバーが注口フック部と係合が解除された状態の時に、確実にロックレバーがストッパー保持部に係合でき、半ロック状態をなくしより確実に転倒時において蓋が開き湯の流出が防止できる。
【００４２】
また、請求項４記載の発明によれば、解除レバーはストッパー解除側と異なる方向にレバーばねで付勢することで、解除レバーの動作力、動作位置が安定しより確実に転倒時において、半ロック状態をなくし蓋が開き湯の流出が防止できる。
【００４３】
また、請求項５記載の発明によれば、解除レバーは蓋体の閉時に注口または容器または注口あるいは容器に係合された部品に押圧されることで、前記解除レバーが移動しロックレバーとストッパー保持部の係合を解除することで、動作位置が安定しより確実に半ロック状態をなくし転倒時において蓋が開き湯の流出が防止できる。
【００４４】
また、請求項６記載の発明によれば、解除レバーは蓋体の閉時に注口または容器または注口あるいは容器に係合された部品に押圧し、ロックレバーが注口フック部に係合していない時は、解除レバーの自然状態で蓋体を保持することができることで、ロックレバーが注口フック部に係合していない時は注口と蓋体の間に任意の段差ができることで、蓋が確実に閉まっていないことを外観で判断でき、半ロック状態における転倒時に蓋が開き湯の流出することを防止できる。
【００４５】
また、請求項７記載の発明によれば、ロックつまみを回動し蓋体を開くときにロックレバーはストッパー保持部に係合され、閉時には解除レバーによりロックレバーと注口フック部との係合タイミングを調整可能になるため確実に係合が行われ、半ロック状態をなくすことで転倒時において蓋が開き湯の流出が防止できる。
【００４６】
また、請求項８記載の発明によれば、ロックレバーが注口フック部に係合されていない時は、注口あるいは蓋体に構成された開閉補助レバーによって対面する部材を押圧し、前記蓋体が一定量開く構造を持つことで、蓋が確実に閉まっていないことを外観で判断でき、半ロック状態における転倒時に蓋が開き湯の流出することを防止できる。
【００４７】
また、請求項９記載の発明によれば、ロックレバーが注口フック部に係合されていない時は、注口あるいは蓋体に構成された開閉補助レバーによって対面する部材を押圧し、前記蓋体が一定量開く構造を持ち、さらに開閉補助レバーは補助レバーばねによって蓋体開き方向に付勢されたことで、蓋の開閉力が安定し、さらに蓋が確実に閉まっていないことを外観で判断でき、半ロック状態における転倒時に蓋が開き湯の流出することを防止できる。
【図面の簡単な説明】
【図１】本発明の第１の実施例を示す電気湯沸かし器の概略断面図
【図２】本発明の第１〜６の実施例に示す電気湯沸かし器の要部断面図
【図３】本発明の第１〜６の実施例に示すロックレバーがストッパー保持部に係合時の電気湯沸かし器の要部断面図
【図４】本発明の第１〜６の実施例に示すロックレバーが注口フック部に係合時の電気湯沸かし器の要部断面図
【図５】本発明の第７〜９の実施例に示す電気湯沸かし器の要部断面図
【図６】本発明の第７〜９の実施例に示すロックレバーがストッパー保持部に係合時の電気湯沸かし器の要部断面図
【図７】本発明の第７〜９の実施例に示すロックレバーが注口フック部に係合時の電気湯沸かし器の要部断面図
【図８】従来例を示す電気湯沸かし器の概略断面図
【符号の説明】
１１  ボデー
１２  注口
１２ａ  ヒンジ部
１２ｂ  フック部
１２ｃ  フック部下面
１２ｄ  解除部
１３  液体
１４  容器
１５  発熱体
２０  蓋体
２０ａ  ストッパー保持部
２１  ロックレバー
２１ａ  スットッパー
２１ｂ  ロックレバー上面
２２  ロックばね
２３  解除レバー
２４  ロックつまみ
２５  レバーばね
２６  ロックレバー支持部
２７  開閉補助レバー
２８  補助レバーばね
【図１】
0004019579.tif 000002
【図２】
0004019579.tif 000003
【図３】
0004019579.tif 000004
【図４】
0004019579.tif 000005
【図５】
0004019579.tif 000006
【図６】
0004019579.tif 000007
【図７】
0004019579.tif 000008
【図８】
0004019579.tif 000009